(57)【要約】【課題】本考案は、メモ内容の事後確認の確実化、容易化を図ることができる斬新な複写式メモ冊子を提供する。【解決手段】本考案の複写式メモ冊子１は、メモ用紙２を２枚１組とする複写形式で多数組を冊子状に、且つ、剥離可能に綴じ込むとともに、各メモ用紙２の表面に相手会社名及び名前欄１１、日時欄１２、時間欄１３、場所欄１４、主議題欄１５、詳細説明欄１６、予定欄１７からなる事項記入欄５、並びに本人及び相手の署名欄６である本人欄１８、相手欄１９を設け、各メモ用紙２の一辺側の同一位置に複数個の綴じ込み穴２０を一定間隔で設け、特に本人欄１８、相手欄１９への署名によってメモ内容の事後確認の確実化、容易化を実現したものである。【選択図】図１
0003115786.tif 000002
【実用新案登録請求の範囲】
【請求項１】
メモ用紙複数枚を１組とする複写形式で、多数組を冊子状に、且つ、剥離可能に綴じ込むとともに、各メモ用紙表面に事項記入欄、本人及び相手の署名欄を設けたことを特徴とする複写式メモ冊子。
【請求項２】
メモ用紙複数枚を１組とする複写形式で、多数組を冊子状に、且つ、剥離可能に綴じ込むとともに、各メモ用紙表面に事項記入欄、本人及び相手の署名欄を設け、各メモ用紙の一辺側の同一位置に複数個の綴じ込み穴を一定間隔で設けたことを特徴とする複写式メモ冊子。
【請求項３】
メモ用紙複数枚を１組とする複写形式で、多数組を冊子状に、且つ、剥離可能に綴じ込むとともに、各メモ用紙表面に相手会社名及び名前、日時、時間、場所、主議題、詳細説明、次回打ち合せ有無及び日時を記入する各欄からなる事項記入欄、並びに本人及び相手の署名欄を設け、各メモ用紙の一辺側の同一位置に複数個の綴じ込み穴を一定間隔で設けたことを特徴とする複写式メモ冊子。
【請求項４】
前記メモ用紙は、その一部、好ましくはその裏面の一部に、貼着対象物に対して、貼着可能で剥離可能な貼着材が塗布されていて、当該メモ用紙を貼着対象物に対して貼着、剥離自在としたことを特徴とする請求項１乃至３のいずれかに記載の複写式メモ冊子。
【請求項５】
メモ用紙複数枚を１組とする複写形式で、多数組を冊子状に、且つ、剥離可能に綴じ込むとともに、各メモ用紙表面に事項記入欄、本人及び相手の署名欄を設け、各メモ用紙の一辺側の同一位置に複数個の綴じ込み穴を一定間隔で設けた複写式メモ冊子と、
該複写式メモ冊子の綴じ込み穴に挿入して着脱可能に綴じ込む綴じ込み部を備え、前記複写式メモ冊子を一辺側から挟み込むようにして収納する開閉式の収納具と、
を有することを特徴とする複写式メモ収納手帳。
【請求項６】
メモ用紙複数枚を１組とする複写形式で、多数組を冊子状に、且つ、剥離可能に綴じ込むとともに、各メモ用紙表面に相手会社名及び名前、日時、時間、場所、主議題、詳細説明、次回打ち合せ有無及び日時を記入する各欄からなる事項記入欄、並びに本人及び相手の署名欄を設け、各メモ用紙の一辺側の同一位置に複数個の綴じ込み穴を一定間隔で設けた複写式メモ冊子と、
該複写式メモ冊子の綴じ込み穴に挿入して着脱可能に綴じ込む綴じ込み部を備え、前記複写式メモ冊子を一辺側から挟み込むようにして収納する開閉式の収納具と、
を有することを特徴とする複写式メモ収納手帳。
【請求項７】
前記メモ用紙は、その一部、好ましくはその裏面の一部に、貼着対象物に対して、貼着可能で剥離可能な貼着材が塗布されていて、当該メモ用紙を貼着対象物に対して貼着、剥離自在としたことを特徴とする請求項５又は６記載の複写式メモ収納手帳。
【考案の詳細な説明】
【技術分野】
【０００１】
本考案は、斬新な複写式メモ冊子及び複写式メモ収納手帳に関し、詳しくは特に各種打ち合わせ事項等のようなメモ内容の事後確認の確実化、容易化を図ることができる複写式メモ冊子及び複写式メモ収納手帳に関するものである。
【背景技術】
【０００２】
従来、例えば２枚又はそれ以上のメモ用紙を重合し一端から剥離可能に綴じ込むとともに、メモ用紙にカーボン層又は感圧発色層を設けて１枚目のメモ用紙への例えば打ち合わせ事項等の記載内容が２枚目以降のメモ用紙に複写されるように構成した複写式メモ冊子が種々提案されている。
【０００３】
このような複写式メモ冊子における個々のメモ用紙には、通常日時、場所、打ち合わせ事項等の記載欄が設けられているが、打ち合わせ等を行う本人や相手方が署名（サイン）を行うための署名欄は設けられていない。
【０００４】
このため、打ち合わせ時にメモ用紙に記載した事項を巡って後日相手方が事実と相違する等というような異議、反論を申し立てるという事態も多々生じているのが現状である。
【０００５】
特許文献１には、２枚以上の用紙を１組とし、用紙に予めカーボン層を塗布して複写式とするとともに、各用紙の裏面の一部に粘着剤を塗着し、各用紙のずれを防止するように構成した複写式メモ用紙が提案されている。
【０００６】
しかし、この特許文献１の複写式メモ用紙の場合も、用紙の表面に本人や相手方が署名を行うための署名欄を設けたものではなく、上述した場合と同様な問題を包含している。
【０００７】
特許文献２には、複数の紙葉を綴じてメモ帳とし、紙葉に対して特定の用語の意味内容を記載した事項印刷部、メモ記載部をミシン目を介して分離可能に設けた事項印刷部を有するメモ帳が提案されている。
【０００８】
しかし、この特許文献２の事項印刷部を有するメモ帳の場合においても、紙葉の表面に本人や相手方が署名を行うための署名欄を設けたものではなく、上述した場合と同様な問題を包含している。
【特許文献１】実開平７−４０１６８号公報
【特許文献２】登録実用新案第３０３５７８１号公報
【考案の開示】
【考案が解決しようとする課題】
【０００９】
本考案が解決しようとする問題点は、打ち合わせ時にメモ用紙に記載した事項を巡って後日相手方が事実と相違する等というような異議、反論を申し立てる事態を回避でき、メモ内容の事後確認の確実化、容易化を図ることができる複写式メモ冊子、更には複写式メモ収納手帳が存在しない点である。
【課題を解決するための手段】
【００１０】
本考案に係る複写式メモ冊子は、メモ用紙複数枚を１組とする複写形式で、多数組を冊子状に、且つ、剥離可能に綴じ込むとともに、各メモ用紙表面に事項記入欄、本人及び相手の署名欄を設けたことを最も主要な特徴とする。
【考案の効果】
【００１１】
本考案によれば、以下の効果を奏する。
請求項１記載の考案によれば、複数枚を１組とする複写形式のメモ用紙の表面に、事項記入欄、本人及び相手の署名欄を設けたことにより、特に署名欄に本人及び相手の署名を行うことで、同一内容が記載された各メモ用紙を本人、相手が個別に保持する状態とすることができ、事項記入欄の記載内容に関して事後確認の確実化、容易化を図ることができる斬新な複写式メモ冊子を提供することができる。
【００１２】
請求項２記載の考案によれば、請求項１記載の考案の場合と同様な効果を奏するとともに、各メモ用紙の一辺側の同一位置に複数個の綴じ込み穴を一定間隔で設けているため、手帳形の収納具への綴じ込み保管も容易なメモ用紙を備えた斬新な複写式メモ冊子を提供することができる。
【００１３】
請求項３記載の考案によれば、請求項２記載の考案の場合と同様な効果を奏することに加え、各メモ用紙は事項記入欄として相手会社名及び名前、日時、時間、場所、主議題、詳細説明、次回打ち合せ有無及び日時を記入する各欄を備えることから、商談その他各種打ち合わせに対応可能で斬新な複写式メモ冊子を提供することができる。
請求項４記載の考案によれば、請求項１乃至３記載の考案の場合と同様な各効果を奏することに加え、前記メモ用紙を、貼着対象物に対して貼着したり、剥離したり、自在に使用できる複写式メモ冊子を提供することができる。
【００１４】
請求項５記載の考案によれば、請求項２記載の考案の複写式メモ冊子と、該複写式メモ冊子の綴じ込み穴に挿入して着脱可能に綴じ込む綴じ込み部を備え、前記複写式メモ冊子を一辺側から挟み込むようにして収納する開閉式の収納具とを組み合わせた構成で、特に複数枚を１組とする複写形式のメモ用紙を収納具から取り出し、署名欄に本人及び相手の署名を行うことで、同一内容が記載された各メモ用紙を本人、相手が個別に保持する状態とすることができ、事項記入欄の記載内容に関して事後確認の確実化、容易化を図ることが可能であり、更に使用済みのメモ用紙を収納具に綴じ込み保管することも容易な複写式メモ冊子を含む斬新な複写式メモ収納手帳を提供することができる。
【００１５】
請求項６記載の考案によれば、請求項５記載の考案の場合と同様な効果を奏することに加え、複写式メモ冊子を構成する各メモ用紙は事項記入欄として相手会社名及び名前、日時、時間、場所、主議題、詳細説明、次回打ち合せ有無及び日時を記入する各欄を備えることから、商談その他各種打ち合わせに対応可能な複写式メモ冊子を含む斬新な複写式メモ収納手帳を提供することができる。
請求項７記載の考案によれば、請求項５、６記載の考案の場合と同様な各効果を奏することに加え、前記メモ用紙を、貼着対象物に対して貼着したり、剥離したり、自在に使用できる複写式メモ収納手帳を提供することができる。
【考案を実施するための最良の形態】
【００１６】
本考案は、打ち合わせ時にメモ用紙に記載した事項を巡って後日相手方が事実と相違する等というような異議、反論を申し立てる事態を回避でき、メモ内容の事後確認の確実化、容易化を図ることができる複写式メモ冊子を提供するという目的を、メモ用紙複数枚を１組とする複写形式で多数組を冊子状に、且つ、剥離可能に綴じ込むとともに、各メモ用紙表面に相手会社名及び名前、日時、時間、場所、主議題、詳細説明、次回打ち合せ有無及び日時を記入する各欄からなる事項記入欄、並びに本人及び相手の署名欄を設け、各メモ用紙の一辺側の同一位置に複数個の綴じ込み穴を一定間隔で設けた構成により実現した。
【実施例】
【００１７】
以下に、本考案の実施例について図面を参照して詳細に説明する。
（実施例１）
図１乃至図５を参照して本考案の実施例１に係る複写式メモ冊子１について説明する。
【００１８】
図１に示す複写式メモ冊子１は、個々の例えば長方形状のメモ用紙２を、例えば２枚を１組とする複写形式とし、これを多数組（例えば２０組：４０枚）表紙３及び裏紙４を用いて冊子状態に、且つ、剥離可能に綴じ込むことにより構成している。
各組の２枚ずつのメモ用紙２のうち１枚目のメモ用紙２には、カーボン層又は感圧発色層が塗着され、１枚目にボールペン等で記入した記載内容が２枚目に複写されるように構成している。
【００１９】
なお、全てのメモ用紙２にカーボン層又は感圧発色層を塗着し、図示しないが長方形状の厚紙からなる介在紙を用いて２枚１組とするような使用態様も勿論可能である。
また、複写式メモ冊子１を構成するメモ用紙２の組数、総枚数は上述した場合に限らず、例えば、１０組：２０枚、３０組：６０枚等としたり、３枚を１組とし、１０組：３０枚、２０組：６０枚等としたりというように任意の組数、総枚数とすることも勿論可能である。
【００２０】
前記メモ用紙２には、図２に示すように、上部から順に四角枠付きの相手会社名及び名前欄１１、下線付きの日時欄１２、下線付きの時間欄１３、下線付きの場所欄１４、四角枠付きの主議題欄１５、四角枠付きの詳細説明欄１６、次回打ち合せ有無及び次回打ち合せの日時を記入する予定欄１７からなる事項記入欄５と、各々四角枠付きの本人欄１８及び相手欄１９からなる署名欄６とを設けている。
また、前記各メモ用紙２の一辺（図２において左辺）側の同一位置には、例えば６個の円形の綴じ込み穴２０を一定間隔で一列に設けている。
なお、図３は、前記複写式メモ冊子１において表紙３を閉じた状態を示すものである。
【００２１】
次に、上述した構成からなる実施例１の複写式メモ冊子１の使用態様を、この複写式メモ冊子１を所持するとともにある会社Ａに属する本人（氏を例えば「山田」とする）と、別の会社Ｂに属する相手（氏を例えば「鈴木」とする）とが打ち合わせ（例えば会社Ａの特定の商品Ｘを会社Ｂに販売する商談）を行う場合を例にとって説明する。
【００２２】
本人「山田」は、相手「鈴木」と商談を行う際に、複写式メモ冊子１から１組の、すなわち、２枚のメモ用紙２を剥離し、これを重合状態としたままメモ用紙２の相手会社名及び名前欄１１に、相手側である会社Ｂ及び鈴木の文字を記載する。
また、本人「山田」は、日時欄１２に例えば２００５年７月１日と記載し、時間欄１３に例えば午前１０時００分と記載し、場所欄１４に例えば会社Ｂ会議室と記載する。
【００２３】
更に、本人「山田」は、主議題欄１５に、例えば「商品Ｘの販売について」と記載し、詳細説明欄１６に例えば「商品Ｘを１０台販売する契約成立」と記載する。また、前記予定欄１７には例えば次回打ち合わせ「無」と記載する。
【００２４】
最後に、本人「山田」は、本人欄１８に自己の氏である「山田」の署名をした後、相手「鈴木」に相手欄１９への署名を求める。
そして、相手「鈴木」が相手欄１９に「鈴木」の署名を行うことで、この商談におけるメモ用紙２への記載は完結し、１枚目と２枚目とで同一内容が記載された１組のメモ用紙２が出現する。
【００２５】
この後、本人「山田」は、２枚のメモ用紙２を１枚ずつに分離し、図４に示すように、１枚は自己用として保持し、他の１枚は相手「鈴木」に手渡す。
【００２６】
本人「山田」は、自己用として保持する上述した諸事項が記載された１枚のメモ用紙２を図５に示すような例えばシステム手帳のような開閉式の収納具３０に綴じ込んで収納保管する。すなわち、前記１枚のメモ用紙２の綴じ込み穴２０内に、手帳式の収納具３０に設けた開閉可能な綴じ込み部（バインダー金具）３１を挿入して着脱可能に綴じ込み、保管する。
【００２７】
一方、上述した諸事項が記載された他の１枚のメモ用紙２は、相手「鈴木」が自己用として保管することになる。
【００２８】
上述した本実施例１に係る複写式メモ冊子１によれば、同一の商談内容が記載され、且つ、各々本人「山田」、相手「鈴木」の署名がなされた１枚ずつのメモ用紙２が、商談後において本人「山田」と、相手「鈴木」との双方に各々所有されることになる。
【００２９】
これにより、商談時にメモ用紙に記載した事項を巡って後日相手「鈴木」、更には会社Ｂが、事実と相違する等というような異議、反論を申し立てるという事態を回避でき、メモ内容の事後確認の確実化、容易化を図ることが可能となり、本人「山田」、更には会社Ａは、相手「鈴木」、更には会社Ｂに対する商品Ｘに関する商談を支障なく進めることができる。
【００３０】
（実施例２）
次に、図６乃至図８を参照して本考案の実施例２に係る複写式メモ収納手帳４０について説明する。
【００３１】
本実施例２に係る複写式メモ収納手帳４０は、図６に示すように、実施例１で説明した複写式メモ冊子１と、システム手帳式の収納具３０とを組み合わせた構成としたものである。
すなわち、収納具３０は、表片３２、裏片３３を背部３４により一体的に連結するとともに、背部３４に固着した綴じ込み部（バインダー金具）３１を具備し、前記複写式メモ冊子１の綴じ込み穴２０内に、綴じ込み部３１を挿入してこの複写式メモ冊子１を着脱可能に綴じ込み収納している。
【００３２】
本実施例２に係る複写式メモ収納手帳４０の使用態様は、基本的には実施例１複写式メモ冊子１の場合と同様である。
【００３３】
すなわち、この複写式メモ収納手帳４０を所持するとともにある会社Ａに属する本人（氏を例えば「山田」とする）と、別の会社Ｂに属する相手（氏を例えば「鈴木」とする）とが打ち合わせ（例えば会社Ａの特定の商品Ｘを会社Ｂに販売する商談）を行う場合において、本人「山田」は実施例１の場合と同様にして複写式メモ収納手帳４０における複写式メモ冊子１から１組の、すなわち２枚のメモ用紙２を剥離し、実施例１の場合と同様にして商談におけるメモ用紙２への記載を完結させ、１枚目と２枚目とで同一内容が記載された１組のメモ用紙２を出現させる。
【００３４】
この後、本人「山田」は、２枚のメモ用紙２を１枚ずつに分離し、図７に示すように、１枚は自己用として保持し、他の１枚は相手「鈴木」に手渡す。
【００３５】
本人「山田」は、自己用として保持する上述した諸事項が記載された１枚のメモ用紙２を図８に示すように前記複写式メモ収納手帳４０に綴じ込む。
【００３６】
一方、上述した諸事項が記載された他の１枚のメモ用紙２は、相手「鈴木」が自己用として保管することになる。
【００３７】
上述した本実施例２に係る複写式メモ収納手帳４０を使用した場合にも、同一の商談内容が記載され、且つ、各々本人「山田」、相手「鈴木」の署名がなされた１枚ずつのメモ用紙２が、商談後において本人「山田」と、相手「鈴木」との双方に各々所有されることになる。
【００３８】
これにより、実施例１の場合と同様、商談時にメモ用紙２に記載した事項を巡って後日相手「鈴木」、更には会社Ｂが事実と相違する等というような異議、反論を申し立てる事態を回避でき、メモ内容の事後確認の確実化、容易化を図ることが可能となって、本人「山田」、更には会社Ａは、相手「鈴木」、更には会社Ｂに対する商品Ｘに関する商談を支障なく心配なく進めることができる。
【００３９】
次に、実施例１の複写式メモ冊子１又は実施例２の複写式メモ収納手帳４０の応用例について、図９乃至図１１を参照して説明する。
【００４０】
図９は複写式メモ冊子１を構成する２枚１組のメモ用紙２を領収書として活用する場合を示すものである。
【００４１】
この場合には、２枚１組のメモ用紙２の１枚目のメモ用紙２の例えば詳細説明欄１６に、実施例１の商談場面において例えば「金５万円受領しました。
但し、商品Ｘの代金として」と記載するとともに、収入印紙４１を貼り付けた例を示すものである。
【００４２】
図９に示す例の場合においても、同一の内容（領収書に相当する内容）が記載され、且つ、各々本人「山田」、相手「鈴木」の署名がなされた１枚ずつのメモ用紙２が出現し、商談後において本人「山田」と、相手「鈴木」との双方に各々所有されることになることから、メモ内容の事後確認の確実化、容易化を図ることが可能となる。実施例２の複写式メモ収納手帳４０を用いた場合も図９に示す場合と全く同様である。
【００４３】
図１０に示す例は、複写式メモ冊子１を構成する個々のメモ用紙２の一部に例えば１月分のカレンダー表示５０を付した例を示すものである。このようなカレンダー表示５０を付した複写式メモ冊子１によれば、例えば取引先へ配布するノベリティ商品として活用することが可能となる。
実施例２の複写式メモ収納手帳４０を構成する個々のメモ用紙２の一部に例えば１月分のカレンダー表示５０を付した場合も図１０に示す場合と全く同様である。
【００４４】
図１１に示す例は、複写式メモ冊子１を構成する個々のメモ用紙２の一部、例えば右隅欄に縦配置に例えば「○○製品は、××会社へ」というような広告文５１を付した例を示すものである。
【００４５】
このような広告文５１を付したメモ用紙２を用いて複写式メモ冊子１を構成することにより、当該会社の広告、宣伝の一翼を担う機能を発揮させることができる。
実施例２の複写式メモ収納手帳４０を構成する個々のメモ用紙２の一部に上述したような広告文５１を付した場合も図１１に示す場合と全く同様である。
なお、前記各実施例における各メモ用紙の一部、好ましくは、その裏面の一部に、貼着対象物に対して、貼着可能で剥離可能な適宜の貼着材を塗布して構成するようにしても良い。この場合、当該メモ用紙を、貼着対象物に対して、貼着したり剥離したり自在に使用できる。
【産業上の利用可能性】
【００４６】
本考案は、上述した場合の他、複写式メモ冊子又は複写式メモ収納手帳を構成する複数枚１組のメモ用紙に、例えば商談等における本人、相手双方の署名による見積書や請求書としての機能を持たせたり、会社等において本人、上司双方の署名による出退勤管理機能、業務管理機能を持たせたりする等、広範な用途に適用することが可能である。
【図面の簡単な説明】
【００４７】
【図１】本考案の実施例１に係る複写式メモ冊子の斜視図である。
【図２】本実施例１に係る複写式メモ冊子の構成を示すメモ用紙の平面図である。
【図３】本実施例１に係る複写式メモ冊子の表紙を閉じた状態を示す斜視図である。
【図４】本実施例１に係る複写式メモ冊子の２枚の諸事項記載済みのメモ用紙を示す説明図である。
【図５】本実施例１に係る諸事項記載済みのメモ用紙を収納具に収納した状態を示す斜視図である。
【図６】本考案の実施例２に係る複写式メモ収納手帳の斜視図である。
【図７】本実施例２に係る２枚の諸事項記載済みのメモ用紙を示す説明図である。
【図８】本実施例２に係る諸事項記載済みのメモ用紙を収納具に収納した状態を示す斜視図である。
【図９】本実施例１の複写式メモ冊子を構成するメモ用紙の応用例（領収書）を示す平面図である。
【図１０】本実施例１の複写式メモ冊子を構成するメモ用紙の応用例（カレンダー表示）を示す平面図である。
【図１１】本実施例１の複写式メモ冊子を構成するメモ用紙の応用例（広告文付加）を示す平面図である。
【符号の説明】
【００４８】
１  複写式メモ冊子
２  メモ用紙
３  表紙
４  裏紙
５  事項記入欄
６  署名欄
１１  相手会社名及び名前欄
１２  日時欄
１３  時間欄
１４  場所欄
１５  主議題欄
１６  詳細説明欄
１７  予定欄
１８  本人欄
１９  相手欄
２０  綴じ込み穴
３０  収納具
３１  綴じ込み部
３２  表片
３３  裏片
３４  背部
４０  複写式メモ収納手帳
４１  収入印紙
５０  カレンダー表示
５１  広告文
【図１】
0003115786.tif 000003
【図２】
0003115786.tif 000004
【図３】
0003115786.tif 000005
【図４】
0003115786.tif 000006
【図５】
0003115786.tif 000007
【図６】
0003115786.tif 000008
【図７】
0003115786.tif 000009
【図８】
0003115786.tif 000010
【図９】
0003115786.tif 000011
【図１０】
0003115786.tif 000012
【図１１】
0003115786.tif 000013